(57)【要約】      （修正有）【課題】片面に装飾のための凹凸形状が形成されているサイディングボード等の切断によって、凹凸形状側の切断面のエッジに欠けが生じ難く、ボードの表面側の装飾性が損なわれない携帯用電気丸のこ用チップソーを提供する。【解決手段】携帯用電気丸のこ用チップソー１０は、円盤状の台金１１外周の刃体１３に設けたチップ取付座１６に、超硬合金板に多結晶ダイヤモンドを焼結した材料からなる複数のチップ２１が取り付けられている。チップ２１の刃先が、刃厚方向の両側に向けて対称形状で傾斜した二等辺三角形となっている。【選択図】図１
0003183126.tif 000002
【実用新案登録請求の範囲】
【請求項１】
携帯用電気丸のこに装着される、円盤状の台金外周に超硬合金または多結晶ダイヤモンドからなる複数のチップが取り付けられた携帯用電気丸のこ用チップソーにおいて、
前記チップの刃先を、刃厚方向の両側に向けて対称形状で傾斜した二等辺三角形、又は先端側が平坦で両側が対称形状で傾斜した台形としたことを特徴とする携帯用電気丸のこ用チップソー。
【考案の詳細な説明】
【技術分野】
【０００１】
本考案は、住宅の外壁材として多用されているサイディングボード等の切断用に用いられている携帯用電気丸のこ用チップソーの台金外周に、複数の超硬合金や多結晶ダイヤモンド等のチップが取り付けられた携帯用電気丸のこ用チップソーに関する。
【背景技術】
【０００２】
従来、この種の携帯用電気丸のこに用いられるチップソーとしては、特許文献１の図１に示すように羽子板状に加工したチップ、または図７に示すように刃先２が水平なチップ１を用いたものが知られている。チップの材料として高硬度の多結晶ダイヤモンドを用いることにより、サイディングボード等の切断において刃先の摩耗が抑えられて、チップの長寿命化が可能となっている。
【先行技術文献】
【特許文献】
【０００３】
【特許文献１】特開平１０−３０９６２６号公報
【０００４】
ところで、外壁材として用いられるサイディングボードは、片面に装飾のための凹凸形状が形成されているものがある。このような凹凸形状があるサイディングボードを、チップの刃先が平坦な従来のチップソーを用いて切断した場合、凹凸形状側の切断面のエッジに欠けが生じやすかった。そのため、サイディングボードの表面側の装飾性が損なわれるという問題があった。
【考案の概要】
【考案が解決しようとする課題】
【０００５】
本考案は、このような問題を解決しようとするもので、片面に装飾のための凹凸形状が形成されているサイディングボード等の切断によって、凹凸形状側の切断面のエッジに欠けが生じ難く、ボードの表面側の装飾性が適正に確保される携帯用電気丸のこ用チップソーを提供することを目的とする。
【課題を解決するための手段】
【０００６】
上記目的を達成するために、本考案の構成上の特徴は、ボード類の切断に用いられる携帯用電気丸のこに装着される、円盤状の台金外周に超硬合金や多結晶ダイヤモンドの複数のチップが取り付けられた携帯用電気丸のこ用チップソーにおいて、チップの刃先を、刃厚方向の両側に向けて対称形状で傾斜した二等辺三角形、又は先端側が平坦で両側が対称形状で傾斜した台形としたことにある。
【０００７】
上記のように構成した本考案においては、チップの刃先を、刃厚方向の両側に向けて対称形状で傾斜した二等辺三角形、又は先端側が平坦で両側が対称形状で傾斜した台形に突出した形状としたことにより、片面に装飾のための凹凸形状が形成されているサイディングボードを切断する際に、チップの山状の刃先がサイディングボードの凹凸面に徐々に食い込みながら切断が行われる。そのため、従来のチップのように平坦な刃先が同時にサイディングボードの凹凸面に食い込む場合に比べて、チップの幅方向両側の凹凸面に与える抵抗が抑えられる。その結果、本考案においては、サイディングボードの凹凸形状側の切断面のエッジの欠けを効果的に抑えることができるため、切断されたサイディングボードの表面側の装飾性が維持され、サイディングボードの商品価値が高められる。
【考案の効果】
【０００８】
本考案においては、チップの刃先を二等辺三角形、又は台形に突出した形状としたことにより、片面に装飾のための凹凸形状が形成されているサイディングボードの切断において切断面のエッジの欠けを効果的に抑えることができ、サイディングボードの表面側の装飾性が維持されその商品価値が高められる。
【図面の簡単な説明】
【０００９】
【図１】本考案の実施例１である携帯用電気丸のこ用チップソーを概略的に示す正面図である。
【図２】同携帯用電気丸のこ用チップソーを示す右側面図である。
【図３】同携帯用電気丸のこ用チップソーのチップ取り付け部分を拡大して示す拡大正面図である。
【図４】図３の矢印Ａ方向を示すＡ線方向拡大図である。
【図５】実施例２である携帯用電気丸のこ用チップソーにおけるチップ取り付け部分を拡大して示す拡大正面図である。
【図６】図５の矢印Ｂ方向を示すＢ線方向拡大図である。
【図７】従来例である携帯用電気丸のこ用チップソーにおけるチップ取り付け部分のすくい面側を拡大して示す拡大図である。
【考案を実施するための形態】
【００１０】
以下、本考案の実施形態について図面を用いて説明する。図１、図２は実施例１である携帯用電気丸のこ用チップソー（以下、チップソーと記す。）を正面図、右側面図により示し、図３、図４はチップソーを拡大正面図、Ａ線方向の拡大図により示したものである。
【００１１】
携帯用電気丸のこ用チップソー１０は、鋼製の円形の薄板である台金１１を設けている。台金１１は、中心に加工機械の回転軸に挿嵌される中心孔１２を設けている。台金１１の外周側は、周方向に等間隔な１０箇所にて径方向の突出した略四角形の刃体１３となっており、刃体１３の間が相対的に径方向に凹んだ刃袋１５になっている。刃体１３の外周の回転後方近傍が径方向にわずかに凹んだ凹部１４となっている。刃体１３の回転前方側の先端にはチップ２１を取り付けるための取付座１６が、直角に切欠かれて設けられている。また、１０箇所の刃体１３の内の回転方向の任意の１番目，３番目，６番目及び８番目のものには、凹部１４の中間位置から径方向に刃体１３の内方まで延びたスリット１７が形成されている。刃体１３の両面はショットブラストにより粗されており、その径方向内側の円環部分と区分けされている。
【００１２】
チップ２１は、図３、図４に示すように、チップ２１のベースとなる厚さ１．５ｍｍ程度の超硬合金板２２に切削側となる厚さ０．５ｍｍ程度の多結晶ダイヤモンド２３を焼結により形成した板材を切断加工することにより形成されたものである。チップ２１は、幅が１．５ｍｍであり、刃先２４側が左右対称で頂角９０°の二等辺三角形に突出した形状に形成され、さらに刃先２４側の逃げ面がすくい面２６に対して超硬合金２２側に向けて略７０°に傾斜しており、刃底２５側がすくい面２６に対して直角に形成されている。チップ２１は、ロー付により上記取付座１６に固定され、これによりすくい面２６が回転前方に向けてわずかに傾斜し、逃げ面がこれに続く刃体１３の外側面と略面一にされる。すくい角は１０°である。
【００１３】
実施例１においては、チップ２１の刃先２４を、幅方向の両側に向けて対称形状で傾斜した二等辺三角形に突出した形状としたことにより、片面に装飾のための凹凸形状が形成されているサイディングボードを切断する際に、チップ２１の山状に突出した刃先２４がサイディングボードの凹凸面に徐々に食い込みながら切断が行われる。そのため、図７に示す従来のチップ１のように平坦な刃先２が同時にサイディングボードの凹凸面に食い込む場合に比べて、チップ２１の刃先２４の凹凸面に与える抵抗が抑えられる。その結果、実施例１においては、サイディングボードの凹凸形状側の切断面のエッジの欠けを効果的に抑えることができるため、切断されたサイディングボードの表面側の装飾性が維持され、サイディングボードの商品価値が高められる。
【００１４】
実施例１の具体例として、外径１００ｍｍ×孔径２０ｍｍ×厚さ１．０ｍｍの台金１１の外周１０箇所に上記チップ２１をロー付したチップソー１０を電動工具に鋸出量５ｍｍで装着し、回転数Ｎ＝９０００ｒｐｍでサイディングボード（片面が凹凸形状の木毛セメント板）の切断加工を行った。比較例として、図７に示す従来のチップ１を台金１１に１０個装着したチップソーを用意した。その結果、チップソー１０を用いたサイディングボードの切断では、凹凸形状側の切断面のエッジの欠けが見られなく、他方比較例のチップソーを用いた切断では、凹凸形状側の切断面のエッジに明らかな欠けが見られ、両者間に明確な差異が見られたことが確認された。
【００１５】
つぎに、実施例２について説明する。
実施例２においては、実施例１と同様に厚さ１．５ｍｍ程度の超硬合金板３２に厚さ０．５ｍｍ程度の多結晶ダイヤモンド３３を焼結により形成した板材の加工により形成したチップ３１について、図５、図６に示すように、刃先３４の形状を刃先側中央の略１／３幅部分が水平で、その両側略１／３部分が左右対称で頂角７０°の等脚台形に突出した形状としたものである。他の部分の構造については、上記チップ２１と同様である。このチップ３１を装着したチップソーを用いてサイディングボードの切断を行っても、実施例１のチップソー１０と略同様の効果が得られる。
【００１６】
なお、上記各実施例において、多結晶ダイヤモンドのチップを用いて説明したが、超硬合金のチップでもよい。超硬合金は多結晶ダイヤモンドに比べて耐久性は劣るが鋭利な刃先によって初期の切削時の切れ味は良い。また、チップの外形や台金の外形等については一例であり、本考案の趣旨を逸脱しない範囲において種々変更して実施することができる。
【産業上の利用可能性】
【００１７】
本考案は、携帯用電気丸のこ用チップソーのチップの刃先を二等辺三角形、又は台形に突出した形状としたことにより、片面に装飾のための凹凸形状が形成されているサイディングボードの切断において切断面のエッジの欠けを効果的に抑えることができ、サイディングボードの表面側の装飾性が維持されその商品価値が高められるため、有用である。
【符号の説明】
【００１８】
１０…携帯用電気丸のこ用チップソー、１１…台金、１３…刃体、１６…取付座、２１，３１…チップ、２２，３２…超硬合金板、２３，３３…多結晶ダイヤモンド、２４，３４…刃先。
【図１】
0003183126.tif 000003
【図２】
0003183126.tif 000004
【図３】
0003183126.tif 000005
【図４】
0003183126.tif 000006
【図５】
0003183126.tif 000007
【図６】
0003183126.tif 000008
【図７】
0003183126.tif 000009